(57)【要約】      （修正有）【課題】高密度ＷＤＭ通信システムにおける狭帯域フィルタリングの影響を軽減する。【解決手段】ＷＤＭ通信システムの送信機は、デュオバイナリ・データ・ストリームに対応するためのマッハ−ツェンダ変調器（ＭＺＭ）を備える。光を変調するために３レベルの電気信号がＭＺＭに適用される。第２の信号レベルでは、変調器は実質的に光伝送をブロックする。第１のレベルと第３のレベルでは、変調器は、それぞれ、デュオバイナリ「−１」ビットと「＋１」ビットとに対応する光を伝送して、それらの光ビット間の相対的位相シフトが、従来技術の光デュオバイナリ変調で用いられる１８０度と異なるようにする。第１のレベルと第３のレベルでの電圧を適当に選択することにより、光ビット間の相対的位相シフトは、ＷＤＭ通信システムに通常存在する光帯域フィルタリングの有害な影響を低減し、受信機側での復号化誤りの数を減少させるように調整され得る。【選択図】図１
2005229613.tif 000002
【特許請求の範囲】
【請求項１】
通信システムにおける信号伝送の方法であって、
第１の電圧で光伝送のピークに達し、
前記第１の電圧より大きい第２の電圧で光伝送を実質的にブロックし、
前記第２の電圧より大きい第３の電圧で光伝送の別のピークに達する
ように適合された変調器を介して光ビームを送信すること、および
第１のレベルが、前記第１の電圧と第３の電圧の間の電圧範囲外にあり、
第２のレベルが、前記第１の電圧と第３の電圧の間の前記電圧範囲内、または前記第１のレベルと反対側の前記電圧範囲外にある、
２つ以上のレベルを持つ電気信号を用いて前記変調器を駆動すること
を含む方法。
【請求項２】
前記第１のレベルに対応する光伝送がピーク光伝送より低い請求項１に記載の方法。
【請求項３】
前記第２のレベルが、前記第１の電圧と第３の電圧の間の前記電圧範囲内にあり、
前記２つ以上のレベルが、前記第１の電圧と第３の電圧の間の前記電圧範囲外の第３のレベルを含む請求項１に記載の方法。
【請求項４】
前記電気信号がデュオバイナリ・データ・シーケンスに基づいて生成され、前記第１、第２、および第３のレベルのそれぞれが異なるデュオバイナリ・データ値に対応する請求項３に記載の方法。
【請求項５】
前記第１のレベルが前記第１の電圧より小さく、
前記第３のレベルが前記第３の電圧より大きく、
前記第１の電圧と前記第１のレベルの間の電圧差が、前記第３の電圧と前記第３のレベルの間の電圧差と異なる請求項３に記載の方法。
【請求項６】
前記第１のレベルと第３のレベルに対応する前記送信された光ビームの相対的光位相シフトが約１８０度と異なる請求項３に記載の方法。
【請求項７】
前記第１のレベルと前記第１の電圧の間の差が、前記第１の電圧と第３の電圧の間の差の１０％を上回る請求項１に記載の方法。
【請求項８】
通信システムにおける信号伝送の方法であって、
変調器を用いてデータで光ビームを変調すること、および
前記ビームを帯域フィルタリングにかける通信リンクを介して受信機に前記変調されたビームを送信すること
を含み、前記受信機側で、前記帯域フィルタリングにより生じる符号間干渉が低減されるように、前記変調器をオーバードライブさせて前記変調されたビーム中の光符号間に位相シフトを導入する方法。
【請求項９】
通信リンクを介して光受信機に結合された光送信機を含む装置であって、
前記非仮送信機が、
データを用いて光ビームを変調するように適合された変調器と、
前記データに対応する電気信号を用いて前記変調器を駆動するように適合されたドライバと
を含み、
前記通信リンクが前記変調されたビームを帯域フィルタリングにかけ、
前記受信機側で、前記帯域フィルタリングにより生じる符号間干渉が低減されるように、前記変調器をオーバードライブさせて前記変調されたビーム中の光符号間に位相シフトを導入する装置。
【請求項１０】
前記変調器が、
第１の電圧で光伝送のピークに達し、
前記第１の電圧より大きい第２の電圧で光伝送を実質的にブロックし、
前記第２の電圧より大きい第３の電圧で光伝送の別のピークに達する
ように適合され、
前記電気信号が、
第１のレベルが、前記第１の電圧と第３の電圧の間の電圧範囲外にあり、
第２のレベルが、前記第１の電圧と第３の電圧の間の前記電圧範囲内、または前記第１のレベルと反対側の前記電圧範囲外にある、
２つ以上のレベルを持つ請求項９に記載の装置。
【発明の詳細な説明】
【技術分野】
【０００１】
本発明は、光通信機器に関し、より詳細には、ＷＤＭ通信システム用の機器に関する。
【背景技術】
【０００２】
高伝送容量を達成するために、波長分割多重化（ＷＤＭ）通信システムは、比較的高いスペクトル効率を持つ必要がある。例えば、１．２Ｔビット／秒の容量を達成するためには、約２５ｎｍ（３．１ＴＨｚ）の波長範囲にわたって動作するＷＤＭシステムは、約０．４ビット／秒／Ｈｚのスペクトル効率を持つ必要がある。これは、４０Ｇビット／秒のビット速度で約０．８ｎｍ（１００ＧＨｚ）のチャネル間隔に相当する。この密度を詰め込むＷＤＭチャネルでは、狭帯域フィルタリングを用いて良好なチャネル分離／漏話低減を実現する必要がある。しかしながら、このフィルタリングは、光波形のひずみも生じ、それが受信機側での復号化誤りの数を増大させる。
【０００３】
したがって、高密度ＷＤＭ通信システムにおける狭帯域フィルタリングの影響を軽減する信号伝送の方法を持つことが求められている。
【特許文献１】米国特許第５８６７５３４号
【発明の開示】
【発明が解決しようとする課題】
【０００４】
本発明の原理によれば、従来技術での問題は、光送信機をオーバードライブさせて異なる光ビット間に好都合な位相シフトを発生させる、ＷＤＭ通信システムにおける信号伝送の方法により対処される。代表的な実施形態では、ＷＤＭ通信システムの送信機は、それを通過する光ビームを変調することによりデュオバイナリ・データ・ストリームに対応する光信号を発生させるように構成されたマッハ−ツェンダ変調器（ＭＺＭ）を備える。光を変調するために３レベルの電気信号がＭＺＭに適用される。第２の信号レベルでは、変調器は実質的に光伝送をブロックする。第１のレベルと第３のレベルでは、変調器は、それぞれ、デュオバイナリ「−１」ビットと「＋１」ビットとに対応する光を伝送して、それらの光ビット間の相対的位相シフトが、従来技術の光デュオバイナリ変調で用いられる位相シフト値である１８０度と異なるようにする。有利には、第１のレベルと第３のレベルでの電圧を適当に選択することにより、それらの光ビット間の相対的位相シフトは、ＷＤＭ通信システムに通常存在する光帯域フィルタリングの有害な影響を低減し、受信機側での復号化誤りの数を減少させるように調整され得る。
【課題を解決するための手段】
【０００５】
一実施形態によれば、本発明は、（Ａ）（１）第１の電圧で光伝送のピークに達し、（２）第１の電圧より大きい第２の電圧で光伝送を実質的にブロックし、（３）第２の電圧より大きい第３の電圧で光伝送の別のピークに達するように適合された変調器を介して光ビームを送信すること、および（Ｂ）（ｉ）第１のレベルが、第１の電圧と第３の電圧の間の電圧範囲外にあり、（ｉｉ）第２のレベルが、第１の電圧と第３の電圧の間の電圧範囲内または第１のレベルと反対側の前記電圧範囲外にある、２レベル以上のレベルを持つ電気信号を用いて変調器を駆動することを含む、通信システムにおける信号伝送の方法である。
【０００６】
別の実施形態によれば、本発明は、（Ａ）光源により生成された光を伝送するように構成され、（１）第１の電圧で光伝送のピークに達し、（２）第１の電圧より大きい第２の電圧で光伝送を実質的にブロックし、（３）第２の電圧より大きい第３の電圧で光伝送の別のピークに達するように適合された変調器と、（Ｂ）（ｉ）第１のレベルが、第１の電圧と第３の電圧の間の電圧範囲外にあり、（ｉｉ）第２のレベルが、第１の電圧と第３の電圧の間の電圧範囲内または第１のレベルと反対側の前記電圧範囲外にある、２レベル以上のレベルを持つ電気信号を用いて変調器を駆動するように構成されたドライバとを含む、通信システム用送信機である。
【０００７】
別の実施形態によれば、本発明は、通信リンクを介して結合された光送信機および光受信機を含み、（ｉ）光送信機が、データを用いて光ビームを変調するように適合された変調器と、データに対応する電気信号を用いて変調器を駆動するように適合されたドライバとを含み、（ｉｉ）通信リンクが、変調されたビームを帯域フィルタリングにかけ、（ｉｉｉ）受信機側で、帯域フィルタリングにより生じる符号間干渉が低減されるように、変調器をオーバードライブさせて変調ビーム中の光符号間に位相シフトを導入する通信システムである。
【０００８】
本発明の他の態様、特徴、および利点は、以下の詳細な説明、添付の特許請求の範囲、および添付の図面を読めばより完全に明らかになるであろう。
【発明を実施するための最良の形態】
【０００９】
本明細書で「一実施形態」または「１つの実施形態」という場合、それは、その実施形態との関連で述べる個々の機能、構造、または特性が、本発明の少なくとも１つの実施形態に含まれ得ることを意味する。本明細書中の様々な箇所における「一実施形態では」という句の出現は、必ずしもすべてが同じ実施形態を指すものであるとは限らず、他の実施形態と相容れない別個のまたは代替の実施形態を指すものでもない。
【００１０】
図１に、本発明が実施され得る代表的ＷＤＭ通信システム１００を示す。システム１００は、それぞれが１つのＷＤＭチャネルに対応する光信号を送信し、指定された波長で動作するＮ個の光送信機１０２−ｉ（ｉ＝１、２、・・・Ｎ）を備える。光マルチプレクサ（ＭＵＸ）１０４は、送信機１０２−ｉの出力を多重化された光信号に合成し、次いでそれが、介在する光ファイバ１０６および光帯域フィルタ１０８の連なりを介して、光デマルチプレクサ（Ｄｅ−ＭＵＸ）１１０に送信される。光デマルチプレクサ１１０は、受信した多重化信号をその個々の波長成分に分解し、次いでそのそれぞれが対応する光受信機１１２−ｉに適用され、それによって処理される。一実施形態では、システム１００のＷＤＭチャネル間隔は、約１ｎｍ未満であり、フィルタ１０８は、そのチャネル間隔に適した帯域通過特性を提供するように構成される。
【００１１】
図２に、本発明が実施され得る別の代表的ＷＤＭ通信システム２００を示す。システム２００は、Ｎ×Ｎ個の光ルータ２１４を介して結合されたＮ個の光送信機２０２−ｉおよびＮ個の光受信機２１２−ｉ（ｉ＝１、２、・・・Ｎ）を備える。送信機２０２および受信機２１２は、それぞれ、システム１００の送信機１０２および受信機１１２に類似のものである。一実施形態では、ルータ２１４は、例えば、波長に基づいて光信号を経路指定するように設計されたアレイ導波路回折格子（ＡＷＧ）などの光スイッチ・ファブリックである。当分野の技術者であれば理解し得ることであるが、０．８ビット／秒／Ｈｚといった高いチャネル密度では、ルータ２１４は、信号をシステム１００でのものと類似の狭帯域フィルタリングにかけることができる。
【００１２】
図３に、光送信機１０２または２０２として使用され得る光送信機３０２の構成図を示す。送信機３０２は、擬似ランダムビット・ストリーム（ＰＲＢＳ）などの２進データ・シーケンスαｋを受け取り、対応する変調光信号Ａ（ｔ）を生成し、次いでそれが、マルチプレクサ１０４（図１）またはルータ２１４（図２）に適用され得る。符号器３２０は、シーケンスαｋを対応する符号化シーケンスｄｋに変換する。符号器３２０は、ＷＤＭ通信システムの受信端での誤りの伝搬を低減するために、当分野で知られているように、シーケンスαｋに符号間相関（ＩＳＣ）データを導入し得る。シーケンスｄｋに基づき、ドライバ３２２は、マッハ−ツェンダ変調器（ＭＺＭ）３２６に適用される駆動信号Ｖ（ｔ）を生成する。この駆動信号を使用して、ＭＺＭ３２６は、レーザ３２４によって生成されたキャリア信号（Ｓλ）を変調し、信号Ａ（ｔ）を発生させる。２進伝送形式が用いられ、ドライバ３２２が２進データ・シーケンスに基づいて動作するように構成されているときは、符号器３２０が送信機３０２から除外され得ることに留意すべきである。この状況では、シーケンスαｋは、ドライバ３２２に直接適用され得る。しかしながら、多重レベル（すなわち、３レベル以上を使用する）データ伝送形式が使用されるときには、２進シーケンスαｋを対応する多重レベル・シーケンスｄｋに変換するために符号器３２０が配置される。
【００１３】
図４に、ＭＺＭ３２６の動作原理をグラフで示す。より具体的には、図４には、ＭＺＭに印加された駆動電圧の関数としてＭＺＭ３２６により生成された出力信号の強さが示されている。ＭＺＭ３２６は、信号Ｓλを２つの部分に分割し、それらの間に位相シフト（φ１２）を導入し、それらの部分を出力において再結合することにより変調する。φ１２の値は、Ｖπを単位にして都合よく測定され得る駆動電圧（Ｖ）の値、すなわち、φ１２＝１８０度に対応する駆動電圧値により決定される。動作に際して、Ｖ＝Ｖπ（図４の点Ｃ）であるときには、２つの部分がＭＺＭ３２６の出力において弱め合うように干渉し、結果として、実質上、ＭＺＭにより光が出力されない。それと対照的に、Ｖ＝０または２Ｖπ（それぞれ、図４の点Ｂおよび点Ｄ）であるとき、２つの部分はＭＺＭ３２６の出力において強め合うように干渉し、結果として、最大の光強度がＭＺＭを介して送信される。図４でさらにわかるように、Ｖπの整数倍ではない駆動電圧値は、中間の光強度を生じる。ＭＺＭ３２６により生成される出力信号の位相（Φ）も、駆動電圧の値により決定される。例えば、点Ｂと点Ｄとに対応する光信号間の相対的位相シフト（ΔΦＢＤ）は１８０度である。
【００１４】
従来技術の変調方法では、ＭＺＭ３２６は、信号Ａ（ｔ）の「ハイ」状態と「ロー」の状態の間の強度対比が最大になるように駆動される。例えば、標準のオンオフ・キーイング形式のデータ変調は、２進シーケンスｄｋを使用し、２つのレベルを持つ電気信号Ｖ（ｔ）を用いてＭＺＭ３２６を駆動して、点Ｂと点Ｃの間（反転モード）または点Ｃと点Ｄの間（非反転モード）に遷移を生じさせることにより達成される。同様に、デュオバイナリ信号方式では、データ変調は、デュオバイナリ・シーケンスｄｋを使用し、３つのレベルを持つ電気信号Ｖ（ｔ）を用いてＭＺＭ３２６を駆動して、点Ｃを介した点Ｂと点Ｄの間に遷移を生じさせることにより達成される。ＭＺＭ３２６を用いて他の変調形式も実施され得ることを、当分野の技術者は理解することができる。
【００１５】
次に、本発明の一実施形態による信号伝送の方法を、デュオバイナリ変調の状況で説明する。しかしながら、他の実施形態では、他の変調形式も同様に用いられ得ることを当分野の技術者は容易に理解するであろう。
【００１６】
光デュオバイナリ変調は、例えば、その教示を参照により本明細書に組み込む、米国特許第５８６７５３４号に詳細に開示されている。簡単にいうと、デュオバイナリ信号方式は、例えば、「＋１」、「０」、および「−１」に指定された３つの信号レベルを使用する。さらに、デュオバイナリ・シーケンスは、連続するタイムスロットで「＋１」レベルと「−１」レベルの間の遷移を持たない。（ｉ）「０」と「＋１」の間、および（ｉｉ）「０」と「−１」の間の遷移だけが発生し得る。デュオバイナリ・レベルの１つに対応する波形（すなわち、デュオバイナリ符号）が、各信号間隔ごとに送信される。例えば、「０」ビットでは、実質的に、光は送信されない。「＋１」ビットおよび「−１」ビットは、それぞれ、「＋Ｅ」および「−Ｅ」の電界を持つ光として送信され、その電界の反対極同士は、１８０度の相対的光位相シフト（ΔΦ）に対応する。このように変調された光ビームは電界の点では３レベルの信号であるが、光パワーの点では２レベルの信号である。このデュオバイナリ信号の特性に基づき、通常、従来の「２進」受信機を用いてデュオバイナリ信号を受信する。「＋１」デュオバイナリ状態も「−１」デュオバイナリ状態も光「オン」に対応するので、２進受信機は、単に光パワーを測定するだけで、光デュオバイナリ信号を対応する電気２進信号に変換する。
【００１７】
すでに示したように、従来技術のデュオバイナリ変調は、例えば、以下のように駆動電圧を生成するようにドライバ３２２を構成することにより実施される。すなわち、（１）ｄｋ＝０のとき、Ｖ（ｔ）＝Ｖπ（図４の点Ｃ）；（２）ｄｋ＝−１のとき、Ｖ（ｔ）＝０（図４の点Ｂ）、（３）ｄｋ＝＋１のとき、Ｖ（ｔ）＝２Ｖπ（図４の点Ｄ）である。この構成では、信号Ａ（ｔ）の強度対比は最大であり、「＋１」の光ビットと「−１」の光ビットの間の相対的光位相シフトは約１８０度である。
【００１８】
本発明の一実施形態によれば、ドライバ３２２は、従来技術のデュオバイナリ電圧を、図４に示すＶＯＤの値だけオーバードライブさせるように構成される。より具体的には、ドライバ３２２は、以下のように駆動電圧を生成するように構成される。すなわち、（１）ｄｋ＝０のとき、Ｖ（ｔ）＝Ｖπ（図４の点Ｃ）；（２）ｄｋ＝−１のとき、Ｖ（ｔ）＝ＶＯＤ（図４の点Ａ）、（３）ｄｋ＝＋１のとき、Ｖ（ｔ）＝２Ｖπ＋ＶＯＤ（図４の点Ｅ）である。この新しい構成では、信号Ａ（ｔ）の強度対比は最大にはならず、「＋１」光ビットと「−１」光ビットの間の相対的光位相シフトは１８０度とは異なる（すなわち、１８０より大きい、あるいはそれより小さい）。１つの代表的構成では、信号Ａ（ｔ）の強度対比は、最大対比から約５％減少し、かつ／または、「＋１」光ビットと「−１」光ビットの間の相対的光位相シフトは約１７５度である。
【００１９】
図４の点Ａおよび点Ｅは「平衡」オーバードライブ・モード、すなわち、正および負のオーバードライブ電圧の振幅が等しい場合を表す。代替として、ドライバ３２２は、例えば、以下のように、「不平衡」モードで駆動電圧を生成するようにも構成され得る。すなわち、（１）ｄｋ＝０のとき、Ｖ（ｔ）＝Ｖπ（図４の点Ｃ）；（２）ｄｋ＝−１のとき、Ｖ（ｔ）＝−Ｖ−（図４の点Ａ’）、（３）ｄｋ＝＋１のとき、Ｖ（ｔ）＝２Ｖπ＋Ｖ＋（図４の点Ｅ’）である。この構成では、正と負のオーバードライブ電圧（Ｖ−とＶ＋）は異なる振幅を持ち得る。
【００２０】
別の可能な構成では、ドライバ３２２は、一方のデュオバイナリ符号では対応する従来技術の電圧をオーバードライブさせ、他方のデュオバイナリ符号では対応する従来技術の電圧をオーバードライブなしで使用するような駆動電圧を生成するように構成され得る。例えば、以下の電圧組み合わせが使用され得る。すなわち、（１）ｄｋ＝０のとき、Ｖ（ｔ）＝Ｖπ（図４の点Ｃ）；（２）ｄｋ＝−１のとき、Ｖ（ｔ）＝−Ｖ−（図４の点Ａ’）、（３）ｄｋ＝＋１のとき、Ｖ（ｔ）＝２Ｖπ（図４の点Ｄ）である。別の構成では、ドライバ３２２は、一方のデュオバイナリ符号では対応する従来技術の電圧をオーバードライブさせ、他方のデュオバイナリ符号では対応する従来技術の電圧をアンダードライブさせるような駆動電圧を生成するように構成され得る。この構成の一例は以下の通りである。すなわち、（１）ｄｋ＝０のとき、Ｖ（ｔ）＝Ｖπ；（２）ｄｋ＝−１のとき、Ｖ（ｔ）＝−Ｖ−、（３）ｄｋ＝＋１のとき、Ｖ（ｔ）＝１．９Ｖπである。
【００２１】
低減された強度対比を用いる信号伝送の方法が、従来技術の方法で用いられるものに比べて、高密度ＷＤＭ通信システムの伝送特性を改善し得ることは信じがたいように思われるが、これが事実であることを以下に示す。この改善の１つの理由は、ＷＤＭ通信システムに存在する狭帯域フィルタリング（図１などを参照）が、主に符号間干渉（ＩＳＩ）のために受信機側で誤りを生じる種類の信号ひずみを引き起こすことである。前述のオーバードライブ技法は、干渉符号間に好都合な位相関係を発生させ、そのため、ＩＳＩの有害な影響が低減される。送信機側出力における強度対比の一部の損失にもかかわらず、受信機では全体的性能改善が達成される。というのは、ＩＳＩ低減による改善の方が振幅の損失により生じる比較的小さな劣化よりも大きいからである。有利には、システムの帯域通過特性に応じて、ＶＯＤまたはＶ−／Ｖ＋の値は、最適なシステム性能を得るように調整され得る。
【００２２】
図５Ａ〜Ｂに、それぞれ、システムが、従来技術の方法と本発明の一実施形態とによりデュオバイナリ光信号を伝送するように動作するときの、システム１００の性能をグラフで示す。より具体的には、図５Ａ〜Ｂには、送信機が図３に示す送信機３０２と類似のものであり、フィルタ１０８の複合伝送特性が２５ＧＨｚの３ｄＢ帯域幅を有するガウス帯域フィルタの特性と等価であるときに、受信機１１２−ｉが送信機１０２−ｉから受信した光４０Ｇビット／秒のデュオバイナリ信号のアイ・ダイアグラムが示されている。図５Ａは、送信機３０２のＭＺＭ３２６が、図４に示す点Ｃを介した点Ｂと点Ｃの間で２Ｖπの総駆動電圧掃引で駆動されたときの、受信信号のアイ・ダイアグラムである。同様に、図５Ｂは、送信機３０２のＭＺＭ３２６が、図４に示す点Ｃを介した点Ａと点Ｅの間で２．８Ｖπ（ＶＯＤ＝０．４Ｖπ）の総駆動電圧掃引で駆動されたときの、受信信号のアイ・ダイアグラムである。図からわかるように、図５Ａのアイ・ダイアグラムには、フィルタ１０８での狭帯域フィルタリングの有害な影響による顕著なアイ・クロージャが示されている。図５Ａに比べて、図５Ｂのアイ・ダイアグラムには、オーバードライブ技法の使用により有利に発生した顕著なアイ改善（すなわちオープニング）が示されている。
【００２３】
図６に、本発明の一実施形態の使用により生じた受信機感度の改善をグラフで示す。より具体的には、図６には、送信機３０２のＭＺＭ３２６に印加された駆動電圧掃引の関数としてビット誤り率（ＢＥＲ）１０−９に対応する受信機感度が示されている。破線の曲線は、送信機３０２により生成され、送信機側出力で直ちにサンプリングされた、伝送回線を通過しない４０Ｇビット／秒のデュオバイナリ信号に対応する。実線の曲線は、同じデュオバイナリ信号を、２５ＧＨｚの半値全幅を有するガウス帯域フィルタの特性に類似した光帯域フィルタリング特性を持つＷＤＭ通信システムの受信端でサンプリングされたものに対応する。図６からわかるように、帯域フィルタリングがない場合、約２．６Ｖπまでの駆動電圧掃引の増加では、受信機感度は、実質上、不変のままであるが、その点以後、受信機感度は急激に低下し始める。それに比べて、システムに帯域フィルタリングが存在するとき、２Ｖπから約２．９Ｖπまでの駆動電圧掃引の増加は、受信機感度の値を約１．５ｄＢ減少させる（すなわち改善する）。図６のデータは、この特定のシステムでは、ＭＺＭを約０．５から１．２５Ｖπ（すなわち、約２５から６３％）オーバードライブさせることにより最善の結果が得られることも示している。図６には示さないが、前述の不均衡モードを使用すれば、約０．３ｄＢのさらなる改善が達成され得る。
【００２４】
以上、本発明を、例示的実施形態を参照して説明してきたが、この説明は、限定的な意味で解釈すべきものではない。本発明が関連する分野の技術者には明らかな、前述の実施形態の様々な改変形態、および本発明の他の実施形態は、添付の特許請求の範囲に記載された本発明の原理および範囲の内に含まれるとみなされる。
【００２５】
添付の方法クレーム中に諸工程がある場合、それらは対応するラベル付けを用いて特定の順序で記載されるが、特許請求の範囲の記載で、それらの工程の一部または全部を実施する特定の順序を特に示唆しない限り、それらの工程は必ずしもその特定の順序で実施することに限定されるものではない。
【図面の簡単な説明】
【００２６】
【図１】本発明が実施され得る代表的ＷＤＭ通信システムを示す図である。
【図２】本発明が実施され得る別の代表的ＷＤＭ通信システムを示す図である。
【図３】図１および２のＷＤＭ通信システムで使用され得る光送信機を示す構成図である。
【図４】本発明の若干の実施形態による、図３の光送信機で使用されるマッハ−ツェンダ変調器（ＭＺＭ）の動作を示すグラフである。
【図５】ＡおよびＢはそれぞれ、図１に示すシステムが、従来技術の方法と、本発明の一実施形態とによりデュオバイナリ光信号を伝送するように動作するときのシステムの性能を示すグラフである。
【図６】本発明の一実施形態の使用により生じる受信機感度の改善を示すグラフである。
【図１】
2005229613.tif 000003
【図２】
2005229613.tif 000004
【図３】
2005229613.tif 000005
【図４】
2005229613.tif 000006
【図５】
2005229613.tif 000007
【図６】
2005229613.tif 000008